(57)【要約】【課題】情報の入出力が容易で、かつ、小型化も両立したサイクロコンピュータを提供する。【解決手段】自転車に取付け可能なサイクロコンピュータであって、本体と、本体上面に設けられ、所定の情報を表示する表示部と、本体の内部に設けられ、上記所定の情報の少なくとも一部を含むデータを記憶する記憶部と、本体の内部に設けられ、携帯型無線通信端末に内蔵されたＮＦＣリーダ・ライターとの間でデータ通信を行なうことが可能なＮＦＣタグとを備える。ＮＦＣタグを経由して記憶部に記憶されたデータの少なくとも一部を携帯型無線通信端末に向けて送信することが可能であり、携帯型無線通信端末に記憶された、または、携帯型無線通信端末の操作部から入力された他のデータの少なくとも一部を携帯型無線通信端末からＮＦＣタグを経由して受信することが可能である。【選択図】図６
2015205667.tif 000002
【特許請求の範囲】
【請求項１】
自転車に着脱可能なサイクロコンピュータであって、
本体と、
前記本体上面に設けられ、所定の情報を表示する表示部と、
前記本体の内部に設けられ、前記所定の情報の少なくとも一部を含むデータを記憶する記憶部と、
前記本体の内部に設けられ、携帯型無線通信端末との間でＮＦＣ通信を行なうことが可能なＮＦＣタグとを備え、
前記ＮＦＣタグを経由して前記記憶部に記憶された前記データの少なくとも一部を前記携帯型無線通信端末に向けて送信することが可能であり、
前記携帯型無線通信端末に記憶された、または、前記携帯型無線通信端末の操作部から入力された他のデータの少なくとも一部を前記携帯型無線通信端末から前記ＮＦＣタグを経由して受信することが可能である、サイクロコンピュータ。
【請求項２】
前記サイクロコンピュータと前記携帯型無線通信端末とのＮＦＣ通信の完了を報知する機能、または、前記ＮＦＣ通信の完了を前記携帯型無線通信端末に報知させる機能を有する、請求項１に記載のサイクロコンピュータ。
【請求項３】
前記ＮＦＣ通信により伝達される情報は、自転車のタイヤ周長、累積走行距離、累積走行時間、現在時刻、平均速度、最大速度、ケイデンス、ＧＰＳ情報のうちの少なくとも１つを含む、請求項１または請求項２に記載のサイクロコンピュータ。
【請求項４】
前記表示部は、第１の情報を表示する第１表示状態、および、第２の情報を表示する第２表示状態を実現可能であり、
前記本体を上方から下方に向けて押して前記本体を傾動させることにより、前記第１表示状態と前記第２表示状態の切換えが行なわれる、請求項１から請求項３のいずれかに記載のサイクロコンピュータ。
【発明の詳細な説明】
【技術分野】
【０００１】
本発明は、自転車に取付け可能なサイクロコンピュータに関する。
【背景技術】
【０００２】
車内に持ち込んだＩＣカードに記憶した各種情報を車両に設けられた表示装置に表示することが実開平０２−８３５７４号公報（特許文献１）に示されている。
【０００３】
自転車に取付けられ、ライダーが視認可能な状態で走行速度などの各種情報を表示するサイクロコンピュータも従来から知られている。
【０００４】
近年、近距離無線通信技術である、ＮＦＣ通信が普及しつつある。ＮＦＣ通信は、Felicaの名前で基礎研究が開始された。開始時期は1980年代末で、ソニーにおいて始まったこの技術は、近年では、非接触ICカード通信（ＮＦＣ通信）として標準化がされている。ＮＦＣ通信は、通信仕様の違いによりFelica、ISO/IEC 14443 TypeA(MIFARE)、ISO/IEC 14443 TypeB、ISO15693があるが、全仕様に対応したカードに埋め込むチップ（ＮＦＣ ＬＳＩチップ）とリーダーライターが近年出現している。ＮＦＣ通信は、公共交通機関の定期券、あるいは定期券機能付き少額決済用電子マネーのSuica（Felica）やtaspo（TypeA）として実用化されている。日本の運転免許証にも採用されており、これにはTypeB仕様のＮＦＣ通信規格が用いられている。ISO15693仕様のＮＦＣ通信規格は業務用のダグなどに利用されている。将来的には、日本では住基カードの後継カードであるマイナンバーカードにＮＦＣ ＬＳＩチップが埋め込まれ2016年1月から利用が開始される予定である。
【先行技術文献】
【特許文献】
【０００５】
【特許文献１】実開平０２−８３５７４号公報
【発明の概要】
【発明が解決しようとする課題】
【０００６】
サイクロコンピュータは、自転車に取付けるものであるため、小型なものであることが望ましい。一方で、サイクロコンピュータにおいて、情報を表示するための表示部の領域は、ある程度の大きさを有していることが望ましい。小型のサイクロコンピュータにおいて一定の大きさの表示部の領域を確保する必要があるため、サイクロコンピュータの入出力のためのユーザーインターフェースの大きさに制限があるという課題がある。例えば、サイクロコンピュータの外表面にテンキーを設ける事は、表示部の領域を確保する必要性から困難である。
【０００７】
そこで、サイクロコンピュータの販売店において、サイクロコンピュータの初期設定（累積走行距離や自転車のタイヤ周長、現在時刻、日付などのデータ入力）を行なうためのサイクロコンピュータ専用設定装置が準備されている。設定装置を用いて新しいサイクロコンピュータ装置に所定の情報を入力することが可能である。
【０００８】
また、ライダーによっては複数の自転車を乗りわけている場合もあり、そのような場合に、複数の自転車でサイクロコンピュータを兼用出来る事が望ましい。しかし、自転車が変われば、サイクロコンピュータに記憶されたタイヤ周長などの情報も書き換える必要があるところ、この書き換え作業のために毎回販売店に赴くのは現実的ではない。従来は書き換えの為には、限られたユーザーインターフェース（数個のスイッチなど）を駆使して行わざるを得なかった。たとえば、２個のスイッチを駆使して４ケタの数字を入力するには、何度もスイッチの押下を繰り返す必要があった。この結果、複数の自転車で同じサイクロコンピュータを兼用しにくい、あるいはタイヤ周長などの情報を書き換え難いという課題があった。
【０００９】
また、サイクロコンピュータは人力を動力とする自転車に取り付けるため、軽量である事が求められる。自転車は時には一度に数百キロ、数十時間を移動し、その間サイクロコンピュータを取り外す事が無いため、サイクロコンピュータはコイン電池などの小型電源で動作する事が求められる。
【００１０】
本発明の目的は、情報の入出力が容易で、かつ、小型化、軽量化も計れ、電池の交換や電池の充電無く長時間動作し続けるサイクロコンピュータを提供することにある。
【課題を解決するための手段】
【００１１】
本発明に係るサイクロコンピュータは、自転車に取付け可能なものである。
１つの局面において、上記サイクロコンピュータは、本体と、本体上面に設けられ、所定の情報を表示する表示部と、本体の内部に設けられ、上記所定の情報の少なくとも一部を含むデータを記憶する記憶部と、本体の内部に設けられ、携帯型無線通信端末に内蔵されたＮＦＣリーダ・ライターとの間でデータ通信を行なうことが可能なＮＦＣタグとを備える。ＮＦＣタグとは、ＮＦＣ ＬＳＩチップとアンテナコイルとからなり、両者をラミネート加工してハンドリングの利便性を向上させたものが多い。ラミネート加工されていない場合もある。
【００１２】
上記ＮＦＣ ＬＳＩチップは、マイコンとのインターフェース（たとえば、ＵＡＲＴ、Ｉ２Ｃ、同期シリアル）とＲＦフロントエンド回路とマイクロコンピュータとメモリ（ＲＯＭ、ＲＡＭ、ＥＥＰＲＯＭ）と給電用キャパシタからなる。ＮＦＣ ＬＳＩチップは、ＮＦＣ ＬＳＩチップに接続されたアンテナコイルを介して、ＮＦＣリーダ・ライターから受電および通信をする事ができる。受電は、サイクロコンピュータの電池からも行う事ができる。ＮＦＣ ＬＳＩチップは、受電時のみ動作すれば良く、ＮＦＣタグには電源は接続されない。
【００１３】
ここで、「携帯型無線通信機器」とは、スマートフォンなどの多機能携帯電話やタブレット型のコンピュータ、サイクロコンピュータ専用設定装置を含む。
【００１４】
上記サイクロコンピュータによれば、携帯型無線通信端末との間でデータ通信を行なうことが可能であり、携帯型無線通信端末はサイクロコンピュータの記憶部に記憶されたデータをＮＦＣ ＬＳＩチップを介して取り出す事ができるとともに、携帯型無線通信端末に記憶された、または、携帯型無線通信端末の操作部から入力されたデータを携帯型無線通信端末のＮＦＣリーダ・ライターから受信することができる。
【００１５】
本発明によれば、携帯型無線通信端末の操作部を利用して上述のデータ通信を行うことができるので、サイクロコンピュータに操作部を設けることなく情報の入出力を容易に行なうことができる。より具体的には、サイクロコンピュータの初期設定が容易になるとともに、それに伴ってタイヤ周長の異なる複数の自転車で同じサイクロコンピュータを兼用しやすくなる。
【００１６】
１つの実施態様では、上記サイクロコンピュータは、携帯型無線通信端末とのデータ通信の完了を報知する機能、または、無線通信の完了を携帯型無線通信端末に報知させる機能を有する。これにより、データ通信の完了を容易に確認することができる。
【００１７】
データ通信の完了を報知する機能をサイクロコンピュータに設ける場合、たとえばサイクロコンピュータの表示部を点滅させたり、サイクロコンピュータに内蔵された圧電ブザーやバイブレーション機能を動作させることにより、上記報知機能を実現することが可能である。サイクロコンピュータに報知機能を持たせることにより、片手で自転車を保持し、もう片方の手で携帯型無線通信装置を操作しても通信の完了を知る事ができる。
【００１８】
データ通信の完了を報知する機能を携帯型無線通信端末に設ける場合、たとえば携帯型無線通信端末の表示部を点滅させたり、携帯型無線通信端末に内蔵されたバイブレーション機能、フラッシュ機能およびスピーカ機能のいずれかを動作させることにより、上記報知機能を実現することが可能である。
【００１９】
１つの実施態様では、上記サイクロコンピュータにおいて、データ通信により伝達される情報は、自転車のタイヤ周長、累積走行距離、累積走行時間、現在時刻、平均速度、最大速度、ケイデンス、ＧＰＳ情報のうちの少なくとも１つを含む。
【００２０】
ここで、「ＧＰＳ情報」は、現在位置に関する情報（アルマナックデータ）および移動の軌跡に関する情報を含む。たとえば、サイクロコンピュータの電源を入れた直後に、携帯型無線通信端末からサイクロコンピュータにアルマナックデータを伝達することにより、サイクロコンピュータによる現在位置の特定を素早く行なうことができる。また、ＧＰＳ機能を内蔵したサイクロコンピュータに蓄積された移動軌跡を携帯型無線通信端末に送ることにより、携帯型無線通信端末を用いて移動軌跡を視認することができる。
【００２１】
１つの実施態様では、上記サイクロコンピュータにおいて、表示部は、第１の情報を表示する第１表示状態、および、第２の情報を表示する第２表示状態を実現可能であり、本体を上方から下方に向けて押して本体を傾動させることにより、第１表示状態と第２表示状態の切換えが行なわれる。
【００２２】
これにより、限られた大きさの表示部により多くの情報を表示することが可能となるので、サイクロコンピュータの小型化を図ることができる。また、本体の傾動によって表示状態の切換えを行なうため、本体の上面に切換えスイッチボタンを設ける必要がなく、さらに小型化を図ることができる。
【００２３】
他の局面において、上記サイクロコンピュータは、本体と、本体上面に設けられ、所定の情報を表示する表示部と、本体の内部に設けられ、所定の情報の少なくとも一部を含むデータを記憶する記憶部と、本体の内部に設けられ、携帯型無線通信端末のＮＦＣリーダ・ライターとの間でデータ通信を行なうことが可能なＮＦＣタグとを備える。
【発明の効果】
【００２４】
本発明によれば、情報の入出力が容易で、かつ、小型化も両立したサイクロコンピュータを提供することができる。ＮＦＣタグ専用の電源が不要なので、サイクロコンピュータへの電源の追加無しに、携帯型無線通信端末とデータのやり取りが可能なサイクロコンピュータが実現できる。
【図面の簡単な説明】
【００２５】
【図１】本発明の１つの実施の形態に係るサイクロコンピュータが取り付けられる自転車を示す図である。
【図２】図１に示すサイクロコンピュータとともに自転車に取付けられるセンサ装置を該自転車のチェーンステーに固定した状態を示す図である。
【図３】サイクロコンピュータを自転車に固定するための固定具にサイクロコンピュータを取付ける状態を示す図である。
【図４】固定具にサイクロコンピュータを取付けた後の状態を示す図である。
【図５】サイクロコンピュータを自転車に固定した状態を示す図である。
【図６】データ通信を行なうサイクロコンピュータの機能ブロック図である。
【図７】データ通信を行なう携帯型無線通信端末の機能ブロック図である。
【図８】サイクロコンピュータと携帯型無線通信端末との間でデータ通信を行なう状態を示す図である。
【発明を実施するための形態】
【００２６】
以下に、本発明の実施の形態について説明する。なお、同一または相当する部分に同一の参照符号を付し、その説明を繰返さない場合がある。
【００２７】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２８】
図１は、本実施の形態に係るサイクロコンピュータが取り付けられる自転車を示す図である。
【００２９】
図１を参照して、自転車１は、前輪２および後輪３と、ペダルとともに回転するギアクランク４と、チェーンステー５とを含む。自転車１には、サイクロコンピュータ１００が取付けられる。
【００３０】
図２は、図１に示す表示装置とともに自転車に取付けられるセンサ装置を該自転車のチェーンステーに固定した状態を示す図である。図２を参照して、センサ装置２００は、スピードセンサ２１０と、ケイデンスセンサ２２０とを含む。後輪３のスポークには、マグネット３Ａが取り付けられ、ギアクランク４にはマグネット４Ａが取り付けられる。スピードセンサ２１０は、マグネット３Ａの通過を検知し、ケイデンスセンサ２２０は、マグネット４Ａの通過を検知する。これにより、自転車１の走行速度およびペダルを漕ぐ調子が検知される。より具体的には、マグネット３Ａの通過により、後輪３の回転周期Ｔ（ｓｅｃ）が検出され、自転車１の走行速度Ｖ（ｍ／ｓｅｃ）は、上記回転周期Ｔと後輪３の周長Ｌ（ｍ）とに基づいて、
Ｖ＝Ｌ／Ｔ
の計算式により算出される。
【００３１】
センサ装置２００を自転車１に取り付けるに際は、スピードセンサ２１０が矢印ＤＲ２１０方向に回動させられ、ケイデンスセンサ２２０が矢印ＤＲ２２０方向に回動させられる。これにより、スピードセンサ２１０とマグネット３Ａとの間隔、および、ケイデンスセンサ２２０とマグネット４Ａとの間隔とが調整される。
【００３２】
上記の間隔を適切に調整することにより、スピードセンサ２１０によるマグネット３Ａの通過の検知と、ケイデンスセンサ２２０によるマグネット４Ａの通過の検知とを適切に行なうことが可能になる。
【００３３】
図３は、サイクロコンピュータ１００を自転車に固定するための固定具３００にサイクロコンピュータ１００を取付ける状態を示す図である。また、図４は、固定具３００にサイクロコンピュータ１００を取付けた後の状態を示す図である。
【００３４】
図３，図４を参照して、サイクロコンピュータ１００は、固定具３００を介して自転車１に取付けられるものである。サイクロコンピュータ１００は、本体１１０と、表示部１２０とを含む。固定具３００は、固定具本体３１０と、バンド３２０と、係合部３３０と、回転操作部３４０とを含む。サイクロコンピュータ１００の本体１１０を図３中の矢印の方向にスライドさせ、本体１１０における係合部１１０Ａと固定具３００における係合部３３０とを着脱可能に係合させることにより、サイクロコンピュータ１００が固定具３００に取付けられる。
【００３５】
サイクロコンピュータ１００の表示部１２０には、たとえば、累積走行距離、累積走行時間、現在時刻、現在速度、平均速度、最大速度、ケイデンス、ＧＰＳ情報などの情報が表示される。これらの情報は、表示部１２０上に一度に表示されてもよいし、一度に表示されなくてもよい。複数の情報が一度に表示されない場合、表示部１２０は、複数の情報のうち一部の情報を表示する「第１表示状態」と、他の情報を表示する「第２表示状態」とを実現する。なお、表示状態の数は２つに限定されず、任意の複数個の表示状態を実現することが可能である。
【００３６】
なお、図３，図４に示されるように、固定具３００は回転操作部３４０を有するウォームギヤ式の固定具である。すなわち、回転操作部３４０を回転させることで、バンド３２０を締めたり緩めたりすることができる。
【００３７】
図５は、固定具３００介してサイクロコンピュータ１００を自転車に固定した状態を示す図である。図５に示すように、固定具３００におけるバンド３２０を自転車のバー４００に巻き付けてバー４００を締め付けることで、表示装置がバーに取付けられる。
【００３８】
なお、図５に示す例では、サイクロコンピュータ１００は、自転車１の前後方向に伸びるバー４００（たとえばステム）に取り付けられているが、自転車の左右方向に伸びるバー（たとえばハンドルバー）にサイクロコンピュータ１００を取付けることも可能である。
【００３９】
サイクロコンピュータ１００の本体１１０は、固定具２００上で矢印ＤＲ１，ＤＲ２方向に傾動可能に支持されている。サイクロコンピュータ１００における表示の切換えを行なう際は、本体１１０を下方に押圧し、本体１１０が矢印ＤＲ１方向に傾動させる。これにより、本体１１０の下面に設けられたスイッチボタン（図示せず）が固定具２００により本体１１０の内方に押し込まれ、表示状態を切換えるスイッチが作動する。本体１１０から手を離すと、本体１１０は矢印ＤＲ２方向に傾動し、もとの状態に戻る。
【００４０】
ライダーがサイクロコンピュータを新たに購入した場合、新しいサイクロコンピュータに自転車のタイヤ周長、積算走行距離、現在時刻などの所定のデータを入力する必要がある（サイクロコンピュータの初期設定）。また、ライダーが複数の自転車を乗りわけている場合、自転車を乗り換えるたびに、サイクロコンピュータの初期設定をやり直す必要がある。タイヤ周長に基づき速度、走行距離を算出するので、特にタイヤ周長の異なる自転車を乗りわけている場合、初期設定をやり直さなければサイクロコンピュータの表示は誤りを含んだものになる。
一方で、サイクロコンピュータ１００の構造を簡素化して小型化を図ることも要請されるため、サイクロコンピュータ１００においては、情報を入力するための操作部も簡素化されたものにならざるを得ない。簡素化された操作部では、初期設定の操作性がよくないという問題がある。
【００４１】
そこで、本実施の形態に係るサイクロコンピュータ１００では、スマートフォンとの間でデータ通信による情報のやり取りを可能とすることで、スマートフォンの操作部を利用してサイクロコンピュータ１００の初期設定を行なうことを可能にしている。また、スマートフォンはツーリングに出かける際も携行可能であるので、ツーリング中にスマートフォンを用いて得られた情報（時刻情報や位置情報）をサイクロコンピュータ１００に送ることもできる。さらに、スマートフォンを介して複数のサイクロコンピュータ１００に情報を共有させることも可能となる。
【００４２】
図６、図７は、各々、データ通信を行なうサイクロコンピュータ１００およびスマートフォン（携帯型無線通信端末）５００の機能ブロック図である。
【００４３】
図６に示すように、サイクロコンピュータ１００は、本体１００および表示部１２０の他に、本体１１０の内部に設けられた記憶部１３０と、無線通信部１４０（Radio Frequency、無線回路部１４０Ａと、Analog Front End、アナログデジタル・デジタルアナログ変換処理部１４０Ｂ）と、表示部１２０、記憶部１３０および無線通信部１４０の動作を制御する制御部１５０とを含む。記憶部１３０は、表示部１２０に表示されるデータを記憶する。無線通信部１４０は、スピードセンサ２１０、ケイデンスセンサ２２０との間でデータ通信を行なう部分である。ＮＦＣタグ１６０は、記憶部１３０に記憶されたデータをＮＦＣ通信の仕様の則ってＮＦＣリーダ・ライタ５４０との間でやり取りする。
【００４４】
図７に示すように、スマートフォン５００は、ユーザが所定の操作情報を入力するための操作部５１０と、所定の情報を表示する表示部５２０とを含む。たとえばタッチパネル式液晶表示装置により操作部５１０と表示部５２０とが兼用されていてもよい。
【００４５】
記憶部５３０は、所定の情報を記憶する部分であり、ＮＦＣリーダ・ライター５４０は、サイクロコンピュータ１００のＮＦＣタグ１６０との間でデータ通信を行なう部分である。無線通信部５６０は、携帯電話通信網あるいは、ＷｉＦｉ通信網との物理的接続を行う部分である。制御部５５０は、操作部５１０に対する操作内容などに基づいて、表示部５２０、記憶部５３０および無線通信部５６０の動作を制御する。
【００４６】
サイクロコンピュータ１００のＮＦＣタグ１６０は、スマートフォン５００の記憶部５３０に記憶された、または、スマートフォン５００の操作部５１０から入力されたデータをスマートフォン５００のＮＦＣリーダ・ライター５４０から受信する。受信したデータは、記憶部１３０に送られる。
【００４７】
図８は、サイクロコンピュータ１００とスマートフォン５００との間でデータ通信を行なう状態を示す図である。図８に示すように、スマートフォン５００をサイクロコンピュータ１００の近傍で一定時間（たとえば０．５秒程度）静止させることにより、指定された所望の無線データ通信が行なわれる。データ通信の完了は、サイクロコンピュータ１００およびスマートフォン５００の一方または両方により報知される。たとえば、表示部１２０，５２０を点滅や点灯させたり、フラッシュ機能やバイブレーション機能を利用することが考えられる。
【００４８】
なお、上記無線データ通信の内容、たとえばタイヤ周長、現在時刻、積算走行距離は、スマートフォン５００上で指定される。この作業を行なうため、スマートフォン５００に予め専用のアプリケーションソフトをインストールしておく必要がある。
【００４９】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００５０】
１  自転車、２  前輪、３  後輪、３Ａ，４Ａ  マグネット、４  ギアクランク、５  チェーンステー、１００  サイクロコンピュータ、１１０  本体、１１０Ａ  係合部、１２０  表示部、１３０  記憶部、１４０  無線通信部、１４０Ａ  ＲＦ、１４０Ｂ  ＡＦＥ、１５０  制御部、１６０  ＮＦＣタグ、２００  センサ装置、２１０  スピードセンサ、２２０  ケイデンスセンサ、３００  固定具、３１０  固定具本体、３２０  バンド、３３０  係合部、３４０  回転操作部、４００  バー、５００  スマートフォン、５１０  操作部、５２０  表示部、５３０  記憶部、５４０  ＮＦＣリーダ・ライター、５５０  制御部、５６０  無線通信部、５６０Ａ  ＲＦ、５６０Ｂ  ＡＦＥ。
【図１】
2015205667.tif 000003
【図２】
2015205667.tif 000004
【図３】
2015205667.tif 000005
【図４】
2015205667.tif 000006
【図５】
2015205667.tif 000007
【図６】
2015205667.tif 000008
【図７】
2015205667.tif 000009
【図８】
2015205667.tif 000010